(57)【要約】  利用者により多くの情報を効果的に提示することができるエレベーターの情報表示装置を提供する。エレベーターの情報表示装置は、エレベーターのかごの内部に設けられ、情報を表示する表示部と、静止画の情報を記憶した記憶部と、前記かごが次に停止する階に到着するまでの到着時間に基づいて、前記記憶部に記憶された静止画の情報と前記記憶部に記憶された静止画の情報に基づいた流れ文字の情報とのうちのいずれかを選択して前記表示部に表示させる再生部と、を備えた。
2019176019.tif 000002
【特許請求の範囲】
【請求項１】
エレベーターのかごの内部に設けられ、情報を表示する表示部と、
静止画の情報を記憶した記憶部と、
前記かごが次に停止する階に到着するまでの到着時間に基づいて、前記記憶部に記憶された静止画の情報と前記記憶部に記憶された静止画の情報に基づいた流れ文字の情報とのうちのいずれかを選択して前記表示部に表示させる再生部と、
を備えたエレベーターの情報表示装置。
【請求項２】
前記再生部は、当該静止画の文字の高さに応じて当該静止画を切り取って帯として結合することにより流れ文字の情報を生成する請求項１に記載のエレベーターの情報表示装置。
【請求項３】
前記再生部は、当該静止画の複数の文字の間隔に応じて当該静止画の両側を切り取って流れ文字の情報を生成する請求項１または請求項２に記載のエレベーターの情報表示装置。
【請求項４】
前記再生部は、流れ文字の情報を前記表示部に表示させる場合に、最初の文字が表示される前に表示される流れ文字の領域の色と最後の文字が表示された後に表示される流れ文字の領域の色とを静止画の最初の文字の領域の左側の色または最後の文字の右側の色とする請求項１から請求項３のいずれか１項に記載のエレベーターの情報表示装置。
【請求項５】
前記エレベーターの情報を送信する制御装置と、
前記制御装置により送信された情報に基づいて前記かごが次に停止する階に到着するまでの到着時間を算出する請求項１から請求項４のいずれか１項に記載の情報表示装置と、
を備えたエレベーターシステム。
【請求項６】
エレベーターのかごの内部に設けられた情報表示装置により、前記かごが次に停止する階に到着するまでの到着時間に基づいて、静止画の情報と当該静止画の情報に基づいた流れ文字の情報とのうちのいずれかを選択する選択工程と、
前記情報表示装置により、前記選択工程において選択された情報を表示する表示工程と、
を備えたエレベーターの情報表示方法。
【請求項７】
前記表示工程は、前記情報表示装置により、当該静止画の文字の高さに応じて当該静止画を切り取って帯として結合することにより流れ文字の情報を生成する工程を含む請求項６に記載のエレベーターの情報表示方法。
【請求項８】
前記表示工程は、前記情報表示装置により、当該静止画４の複数の文字の間隔に応じて当該静止画の両側を切り取って流れ文字の情報を生成する工程を含む請求項６または請求項７に記載のエレベーターの情報表示方法。
【請求項９】
前記表示工程は、前記情報表示装置により、流れ文字の情報を前記表示させる場合に、最初の文字が表示される前に表示される流れ文字の領域の色と最後の文字が表示された後に表示される流れ文字の領域の色とを静止画の最初の文字の領域の左側の色または最後の文字の右側の色とする工程を含む請求項６から請求項８のいずれか１項に記載のエレベーターの情報表示方法。
【発明の詳細な説明】
【技術分野】
【０００１】
この発明は、エレベーターの情報表示装置、エレベーターシステムおよびエレベーターの情報表示方法に関する。
【背景技術】
【０００２】
特許文献１は、エレベーターの情報表示装置を開示する。当該情報表示装置によれば、文字列のスクロール速度を切り替えることができる。
【先行技術文献】
【特許文献】
【０００３】
【特許文献１】日本特開平７−５３１４９号公報
【発明の概要】
【発明が解決しようとする課題】
【０００４】
しかしながら、特許文献１に記載の情報表示装置においては、かごが到着するまでに表示が完了しない場合もある。この場合、利用者により多くの情報を効果的に提示することができない。【０００５】
この発明は、上述の課題を解決するためになされた。この発明の目的は、利用者により多くの情報を効果的に提示することができるエレベーターの情報表示装置、エレベーターシステムおよびエレベーターの情報表示方法を提供することである。
【課題を解決するための手段】
【０００６】
この発明に係るエレベーターの情報表示装置は、エレベーターのかごの内部に設けられ、情報を表示する表示部と、静止画の情報を記憶した記憶部と、前記かごが次に停止する階に到着するまでの到着時間に基づいて、前記記憶部に記憶された静止画の情報と前記記憶部に記憶された静止画の情報に基づいた流れ文字の情報とのうちのいずれかを選択して前記表示部に表示させる再生部と、を備えた。【０００７】
この発明に係るエレベーターシステムは、前記エレベーターの情報を送信する制御装置と、前記制御装置により送信された情報に基づいて前記かごが次に停止する階に到着するまでの到着時間を演算する前記情報表示装置と、を備えた。【０００８】
この発明に係るエレベーターの情報表示方法は、エレベーターのかごの内部に設けられた情報表示装置により、前記かごが次に停止する階に到着するまでの到着時間に基づいて、静止画の情報と当該静止画の情報に基づいた流れ文字の情報とのうちのいずれかを選択する選択工程と、前記情報表示装置により、前記選択工程において選択された情報を表示する表示工程と、を備えた。
【発明の効果】
【０００９】
これらの発明によれば、表示部の表示は、かごが次に停止する階に到着するまでの到着時間に基づいて選択される。このため、利用者により多くの情報を効果的に提示することができる。
【図面の簡単な説明】
【００１０】
【図１】実施の形態１におけるエレベーターの情報表示装置が適用されるエレベーターシステムのブロック図である。
【図２】実施の形態１におけるエレベーターの情報表示装置による流れ文字の情報の生成方法を説明するための図である。
【図３】実施の形態１におけるエレベーターの情報表示装置による静止画の情報の表示を説明するための図である。
【図４】実施の形態１におけるエレベーターの情報表示装置による流れ文字の情報の表示を説明するための図である。
【図５】実施の形態１におけるエレベーターの情報表示装置の動作を説明するためのフローチャートである。
【図６】実施の形態１におけるエレベーターの情報表示装置の要部のハードウェア構成図である。
【図７】実施の形態２におけるエレベーターの情報表示装置による流れ文字の情報の生成方法を説明するための図である。
【図８】実施の形態３におけるエレベーターの情報表示装置による流れ文字の情報の生成方法を説明するための図である。
【図９】実施の形態３におけるエレベーターの情報表示装置による流れ文字の情報の表示を説明するための図である。
【発明を実施するための形態】
【００１１】
この発明を実施するための形態について添付の図面に従って説明する。なお、各図中、同一または相当する部分には同一の符号が付される。当該部分の重複説明は適宜に簡略化ないし省略する。
【００１２】
実施の形態１．
図１は実施の形態１におけるエレベーターの情報表示装置が適用されるエレベーターシステムのブロック図である。
【００１３】
図１において、エレベーター制御装置１は、エレベーターの運行制御を行う。エレベーター制御装置１は、かご位置情報と釦情報と運転方向情報とを送信する。かご位置情報は、エレベーターのかごの位置を示す情報である。釦情報は、かごの内部または乗場に設けられた釦が押下されている状態を示す情報である。運転方向情報は、かごの運転方向を示す情報である。
【００１４】
例えば、文字情報送信装置２は、パーソナルコンピュータである。文字情報送信装置２は、文字情報に基づいて生成された静止画の情報を送信する。
【００１５】
情報表示装置３は、表示部３ａと記憶部３ｂと再生部３ｃとを備える。
【００１６】
表示部３ａは、かごの内部に設けられる。表示部３ａは、情報を表示する。例えば、記憶部３ｂは、表示部３ａに隣接して設けられる。記憶部３ｂは、文字情報送信装置２から送信された静止画の情報を記憶する。例えば、再生部３ｃは、表示部３ａに隣接して設けられる。再生部３ｃは、エレベーター制御装置１から送信されるかご位置情報と釦情報と運転方向情報とに基づいて記憶部３ｂが記憶した静止画の情報に基づいた情報を読み出して再生する。
【００１７】
例えば、再生部３ｃは、かご位置情報と釦情報と運転方向情報とに基づいてかごが次に停止する階までの到着時間を算出する。当該到着時間が予め設定された基準時間よりも早い場合、再生部３ｃは、静止画の情報をそのまま表示部３ａに表示させる。当該到着時間が基準時間と同じか基準時間よりも遅い場合、再生部３ｃは、静止画の情報に基づいた流れ文字の情報を表示部３ａの下部の右側から左側に流れるように表示部３ａに表示させる。
【００１８】
例えば、基準時間は、流れ文字の情報が表示部３ａの下部の右側から左側へ流れるように表示される際に最後の文字の情報が表示部３ａの左端部に到達して表示が終了するまでの時間に設定される。例えば、基準時間は、流れ文字の情報が表示部３ａの下部の右側から左側へ流れるように表示される際に最後の文字の情報が表示部３ａの右端部に表示されるまでの時間に設定される。
【００１９】
次に、図２を用いて、流れ文字の情報の生成方法を説明する。
図２は実施の形態１におけるエレベーターの情報表示装置による流れ文字の情報の生成方法を説明するための図である。
【００２０】
図２に示されるように、静止画４の情報は、文字情報を含む。例えば、静止画４の情報は、複数行の文字列５の情報である。例えば、静止画４の情報は、４行の文字列５の情報である。
【００２１】
再生部３ｃは、各行の文字の高さに応じて各行の文字列５を切り取る。再生部３ｃは、上側の行の文字列５から順々に帯として並べて流れ文字６の情報を生成する。
【００２２】
次に、図３を用いて、静止画４の情報の表示を説明する。
図３は実施の形態１におけるエレベーターの情報表示装置による静止画の情報の表示を説明するための図である。
【００２３】
図３に示されるように、再生部３ｃは、静止画４の情報を表示部３ａの全体に表示させる。
【００２４】
次に、図４を用いて、流れ文字６の情報の表示を説明する。
図４は実施の形態１におけるエレベーターの情報表示装置による流れ文字の情報の表示を説明するための図である。図４において、矢印は、流れ文字６の情報が左方向に移動することを示す。矢印は、表示部３ａに表示されない。
【００２５】
図４の（ａ）に示されるように、再生部３ｃは、流れ文字６の情報を表示部３ａの流れ表示部分７の右端部から表示させる。
【００２６】
その後、図４の（ｂ）に示されるように、再生部３ｃは、左に進むように流れ文字６の情報を表示部３ａの流れ表示部分７に表示させる。その結果、最初の文字の情報が流れ表示部分７の左端部に到着する。この際、複数の文字の情報が順々に表示される。
【００２７】
その後、図４の（ｃ）に示されるように、再生部３ｃは、さらに左に進むように流れ文字６の情報を表示部３ａの流れ表示部分７に表示させる。その結果、複数の文字が順々に表示される。
【００２８】
その後、図４の（ｄ）に示されるように、再生部３ｃは、さらに左に進むように流れ文字６の情報を表示部３ａの流れ表示部分７に表示させる。その結果、複数の文字の情報の表示が終了の直前となる。
【００２９】
図４の（ａ）から（ｄ）の表示部３ａにおいて、流れ表示部分７以外の部分には、他の情報が表示される。例えば、別の静止画４が表示される。例えば、動画が表示される。
【００３０】
次に、図５を用いて、情報表示装置３の動作を説明する。
図５は実施の形態１におけるエレベーターの情報表示装置の動作を説明するためのフローチャートである。
【００３１】
ステップＳ１では、情報表示装置３は、かごが次に停止する階までの到着時間を算出する。その後、情報表示装置３は、ステップＳ２の動作を行う。ステップＳ２では、情報表示装置３は、当該到着時間が基準時間よりも早いか否かを判定する。
【００３２】
ステップＳ２で当該到着時間が基準時間よりも早い場合、情報表示装置３は、ステップＳ３の動作を行う。ステップＳ３では、情報表示装置３は、静止画４の情報をそのまま表示する。その後、情報表示装置３は、動作を終了する。
【００３３】
ステップＳ２で当該到着時間が基準時間よりも早くない場合、情報表示装置３は、ステップＳ４の動作を行う。ステップＳ４では、情報表示装置３は、静止画４の情報に基づいた流れ文字６の情報を表示部３ａの下部の右側から左側に流れるように表示する。その後、情報表示装置３は、動作を終了する。
【００３４】
以上で説明した実施の形態１によれば、表示部３ａの表示は、かごが次に停止する階に到着するまでの到着時間に基づいて選択される。このため、限られた時間でも、エレベーターの利用者により多くの情報を効果的に提示することができる。
【００３５】
例えば、文字情報を含む静止画４の表示によれば、エレベーターの利用者の乗車時間が短い場合でも、情報を最後まで提供できる。例えば、流れ文字６の情報の表示によれば、流れ表示部分７以外の部分で別の静止画４または別の動画を表示することができる。
【００３６】
また、再生部３ｃは、静止画４に基づいて流れ文字６の情報を生成する。このため、流れ文字６の情報を事前に記憶する必要がない。その結果、流れ文字６の情報の記憶領域を削減することができる。
【００３７】
また、再生部３ｃは、静止画４の文字の高さに応じて当該静止画４を切り取って帯として結合することにより流れ文字６の情報を生成する。このため、流れ表示部分７の高さを適切に設定することができる。
【００３８】
次に、図６を用いて、情報表示装置３の要部の例を説明する。
図６は実施の形態１におけるエレベーターの情報表示装置の要部のハードウェア構成図である。
【００３９】
情報表示装置３の要部の各機能は、処理回路により実現し得る。例えば、処理回路は、少なくとも１つのプロセッサ８ａと少なくとも１つのメモリ８ｂとを備える。例えば、処理回路は、少なくとも１つの専用のハードウェア９を備える。
【００４０】
処理回路が少なくとも１つのプロセッサ８ａと少なくとも１つのメモリ８ｂとを備える場合、情報表示装置３の要部の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ８ｂに格納される。少なくとも１つのプロセッサ８ａは、少なくとも１つのメモリ８ｂに記憶されたプログラムを読み出して実行することにより、情報表示装置３の要部の各機能を実現する。少なくとも１つのプロセッサ８ａは、中央処理装置、処理装置、演算装置、マイクロプロセッサ、マイクロコンピュータ、ＤＳＰともいう。例えば、少なくとも１つのメモリ８ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４１】
処理回路が少なくとも１つの専用のハードウェア９を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、情報表示装置３の要部の各機能は、それぞれ処理回路で実現される。例えば、情報表示装置３の要部の各機能は、まとめて処理回路で実現される。
【００４２】
情報表示装置３の要部の各機能について、一部を専用のハードウェア９で実現し、他部をソフトウェアまたはファームウェアで実現してもよい。例えば、再生部３ｃの機能については専用のハードウェア９としての処理回路で実現し、再生部３ｃの機能以外の機能については少なくとも１つのプロセッサ８ａが少なくとも１つのメモリ８ｂに格納されたプログラムを読み出して実行することにより実現してもよい。
【００４３】
このように、処理回路は、ハードウェア９、ソフトウェア、ファームウェア、またはこれらの組み合わせで情報表示装置３の要部の各機能を実現する。
【００４４】
実施の形態２．
図７は実施の形態２におけるエレベーターの情報表示装置による流れ文字の情報の生成方法を説明するための図である。なお、実施の形態１の部分と同一又は相当部分には同一符号が付される。当該部分の説明は省略される。
【００４５】
実施の形態２の再生部３ｃは、静止画４の複数の文字の間隔に応じて静止画４の両側を切り取って流れ文字６の情報を生成する。
【００４６】
図７において、左側ライン１０は、静止画４の左側に付加される。右側ライン１１は、静止画４の右側に付加される。再生部３ｃは、静止画４から左側ライン１０よりも左側を切り取る。再生部３ｃは、静止画４から右側ライン１１よりも右側を切り取る。その後、再生部３ｃは、各行の文字の高さに応じて各行の文字列５を切り取る。再生部３ｃは、上側の行の文字列５から順々に帯として並べて流れ文字６の情報を生成する。
【００４７】
以上で説明した実施の形態２によれば、再生部３ｃは、静止画４の複数の文字の間隔に応じて静止画４の両側を切り取って流れ文字６の情報を生成する。このため、静止画４を表示する際に文字の情報を表示部３ａの中央に表示し、表示部３ａの両端に情報を表示しない場合でも、流れ文字６の情報においては、複数の文字の間隔を均一にすることができる。その結果、表示の品質を向上することができる。
【００４８】
実施の形態３．
図８は実施の形態３におけるエレベーターの情報表示装置による流れ文字の情報の生成方法を説明するための図である。なお、実施の形態１、実施の形態２の部分と同一又は相当部分には同一符号が付される。当該部分の説明は省略される。
【００４９】
実施の形態３の再生部３ｃは、最初の文字が表示される前に表示される流れ文字６の領域の色と最後の文字が表示された後に表示される流れ文字６の領域の色とを静止画４の最初の文字の領域の左側の色または最後の文字の右側の色とする。
【００５０】
例えば、静止画４の背景色が灰色の場合、再生部３ｃは、各行の文字の高さに応じて各行の文字列５を切り取る。再生部３ｃは、上側の行の文字列５から順々に帯として並べて流れ文字６の情報を生成する。再生部３ｃは、左端背景色１２の情報と右端背景色１３の情報とを流れ文字６の情報に付加する。
【００５１】
例えば、再生部３ｃは、最初の文字の領域の色である灰色を背景色とした情報を左端背景色１２の情報とする。静止画４の左側が左側ライン１０を基準に削除された場合、再生部３ｃは、残された静止画４において最も左側の色を背景色とした情報を左端背景色１２の情報とする。
【００５２】
例えば、再生部３ｃは、最後の文字の領域の色である灰色を背景色とした情報を右端背景色１３の情報とする。静止画４の右側が右側ライン１１を基準に削除された場合、再生部３ｃは、残された静止画４において最も右側の色を背景色とした情報を右端背景色１３の情報とする。
【００５３】
次に、図９を用いて流れ文字６の情報の表示を説明する。
図９は実施の形態３におけるエレベーターの情報表示装置による流れ文字の情報の表示を説明するための図である。図９において、矢印は、流れ文字６の情報が左方向に移動することを示す。矢印は、表示部３ａに表示されない。
【００５４】
図９の（ａ）に示されるように、再生部３ｃは、左端背景色１２の情報を表示部３ａの流れ表示部分７に表示させる。例えば、再生部３ｃは、左端背景色１２の情報を表示部３ａの流れ表示部分７の右端部から左に進むように表示させる。例えば、再生部３ｃは、左端背景色１２の情報を表示部３ａの流れ表示部分７の下端部から上に進むように表示させる。
【００５５】
その後、図９の（ｂ）に示されるように、再生部３ｃは、左に進むように流れ文字６の情報を表示部３ａの流れ表示部分７に表示させる。
【００５６】
その後、図９の（ｃ）に示されるように、再生部３ｃは、さらに左に進むように流れ文字６の情報を表示部３ａの流れ表示部分７に表示させる。その結果、複数の文字が順々に表示される。
【００５７】
その後、図９の（ｄ）に示されるように、再生部３ｃは、さらに左に進むように流れ文字６の情報を表示部３ａの流れ表示部分７に表示させる。その結果、複数の文字の情報の表示が終了の直前となる。この際、最後の文字の情報に続いて右端背景色１３の情報が表示される。
【００５８】
その後、図９の（ｅ）に示されるように、再生部３ｃは、さらに左に進むように流れ文字６の情報を表示部３ａの流れ表示部分７に表示させる。その結果、右端背景色１３の情報が全体的に表示される。
【００５９】
図示されないが、その後、再生部３ｃは、表示部３ａの流れ表示部分７の表示を終了したり次の流れ文字６の情報を表示部３ａの流れ表示部分７に表示させたりする。この際、再生部３ｃは、右端背景色１３の情報の表示を予め設定された方法で終了する。例えば、再生部３ｃは、右端背景色１３の情報を表示部３ａの流れ表示部分７の左端部から消えていくように左に進める。例えば、再生部３ｃは、右端背景色１３の情報を表示部３ａの流れ表示部分７の下端部から消えて行くように下に進める。
【００６０】
以上で説明した実施の形態３によれば、再生部３ｃは、最初の文字が表示される前に表示される流れ文字６の領域の色と最後の文字が表示された後に表示される流れ文字６の領域の色とを静止画４の最初の文字の領域の左側の色または最後の文字の右側の色とする。このため、流れ文字６の表示の開始および終了を自然に表現することができる。その結果、表示の品質を向上することができる。
【産業上の利用可能性】
【００６１】
以上のように、この発明に係るエレベーターの情報表示装置、エレベーターシステムおよびエレベーターの情報表示方法は、利用者により多くの情報を効果的に提示するシステムに利用できる。
【符号の説明】
【００６２】
１  エレベーター制御装置、  ２  文字情報送信装置、  ３  情報表示装置、  ３ａ  表示部、  ３ｂ  記憶部、  ３ｃ  再生部、  ４  静止画、  ５  文字列、  ６  流れ文字、  ７  流れ表示部分、  ８ａ  プロセッサ、  ８ｂ  メモリ、  ９  ハードウェア、  １０  左側ライン、  １１  右側ライン、  １２  左端背景色、  １３  右端背景色
【図１】
2019176019.tif 000003
【図２】
2019176019.tif 000004
【図３】
2019176019.tif 000005
【図４】
2019176019.tif 000006
【図５】
2019176019.tif 000007
【図６】
2019176019.tif 000008
【図７】
2019176019.tif 000009
【図８】
2019176019.tif 000010
【図９】
2019176019.tif 000011
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
エレベーターのかごの内部に設けられ、情報を表示する表示部と、
静止画の情報を記憶した記憶部と、
前記かごが次に停止する階に到着するまでの到着時間に基づいて、前記記憶部に記憶された静止画の情報と前記記憶部に記憶された静止画の情報に基づいた流れ文字の情報とのうちのいずれかを選択して前記表示部に表示させる再生部と、
を備え、
前記再生部は、当該静止画の文字の高さに応じて当該静止画を切り取って帯として結合することにより流れ文字の情報を生成するエレベーターの情報表示装置。
【請求項２】
前記再生部は、当該静止画の複数の文字の間隔に応じて当該静止画の両側を切り取って流れ文字の情報を生成する請求項１に記載のエレベーターの情報表示装置。
【請求項３】
前記再生部は、流れ文字の情報を前記表示部に表示させる場合に、最初の文字が表示される前に表示される流れ文字の領域の色と最後の文字が表示された後に表示される流れ文字の領域の色とを静止画の最初の文字の領域の左側の色または最後の文字の右側の色とする請求項１または請求項２に記載のエレベーターの情報表示装置。
【請求項４】
前記エレベーターの情報を送信する制御装置と、
前記制御装置により送信された情報に基づいて前記かごが次に停止する階に到着するまでの到着時間を算出する請求項１から請求項３のいずれか１項に記載の情報表示装置と、
を備えたエレベーターシステム。
【請求項５】
エレベーターのかごの内部に設けられた情報表示装置により、前記かごが次に停止する階に到着するまでの到着時間に基づいて、静止画の情報と当該静止画の情報に基づいた流れ文字の情報とのうちのいずれかを選択する選択工程と、
前記情報表示装置により、前記選択工程において選択された情報を表示する表示工程と、
を備え、
前記表示工程は、前記情報表示装置により、当該静止画の文字の高さに応じて当該静止画を切り取って帯として結合することにより流れ文字の情報を生成する工程を含むエレベーターの情報表示方法。
【請求項６】
前記表示工程は、前記情報表示装置により、当該静止画４の複数の文字の間隔に応じて当該静止画の両側を切り取って流れ文字の情報を生成する工程を含む請求項５に記載のエレベーターの情報表示方法。
【請求項７】
前記表示工程は、前記情報表示装置により、流れ文字の情報を前記表示させる場合に、最初の文字が表示される前に表示される流れ文字の領域の色と最後の文字が表示された後に表示される流れ文字の領域の色とを静止画の最初の文字の領域の左側の色または最後の文字の右側の色とする工程を含む請求項５または請求項６に記載のエレベーターの情報表示方法。
【手続補正２】
【補正対象書類名】明細書
【補正対象項目名】０００６
【補正方法】変更
【補正の内容】
【０００６】
この発明に係るエレベーターの情報表示装置は、エレベーターのかごの内部に設けられ、情報を表示する表示部と、静止画の情報を記憶した記憶部と、前記かごが次に停止する階に到着するまでの到着時間に基づいて、前記記憶部に記憶された静止画の情報と前記記憶部に記憶された静止画の情報に基づいた流れ文字の情報とのうちのいずれかを選択して前記表示部に表示させる再生部と、を備え、前記再生部は、当該静止画の文字の高さに応じて当該静止画を切り取って帯として結合することにより流れ文字の情報を生成する。
【手続補正３】
【補正対象書類名】明細書
【補正対象項目名】０００８
【補正方法】変更
【補正の内容】
【０００８】
この発明に係るエレベーターの情報表示方法は、エレベーターのかごの内部に設けられた情報表示装置により、前記かごが次に停止する階に到着するまでの到着時間に基づいて、静止画の情報と当該静止画の情報に基づいた流れ文字の情報とのうちのいずれかを選択する選択工程と、前記情報表示装置により、前記選択工程において選択された情報を表示する表示工程と、を備え、前記表示工程は、前記情報表示装置により、当該静止画の文字の高さに応じて当該静止画を切り取って帯として結合することにより流れ文字の情報を生成する工程を含む。
【国際調査報告】
2019176019.tif 000012
2019176019.tif 000013
2019176019.tif 000014